(57)【要約】  本開示の切削工具用ホルダ（１）は、第１中心軸（Ｓ２）に沿って延びた本体部（２）と、本体部の内部に位置する流路（４）と、を備えている。本体部は、第１端（２ａ）の側に位置する端面（２３）と、ポケット（３）と、を有している。端面は、ポケットよりも下方に位置して、第２端（２ｂ）に近付くように延びた第１端面（２３１）と、第１端面よりも下方に位置して、第２端から離れるように延びた第２端面（２３２）と、少なくとも一部が第１端面（２３１）に位置する溝部（５）と、を有している。流路は、第２中心軸（Ｓ４１）に沿って延びており、第２端面（２３２）において開口した第１流路（４１）を有している。第１端面（２３１）と第１中心軸（Ｓ２）とがなす第１角度は、第２中心軸（Ｓ４１）と第１中心軸（Ｓ２）とがなす第２角度よりも小さい。
2018159525.tif 000002
【特許請求の範囲】
【請求項１】
第１端から第２端に向かって、第１中心軸に沿って延びた棒形状の本体部と、  前記本体部の内部に位置してクーラントが流れる流路と、を備え、  前記本体部は、    上面と、    前記上面の反対側に位置する下面と、    前記上面及び前記下面の間であって前記第１端の側に位置する端面と、    前記第１端の側に位置する上顎部及び下顎部と、    前記上顎部及び前記下顎部の間に位置するポケットと、を有し、  前記端面は、    前記ポケットよりも下方に位置して、前記ポケットから離れるにしたがって前記第２端に近付くように延びた第１端面と、    前記第１端面よりも下方に位置して、前記第２端から離れるように延びた第２端面と、    少なくとも一部が前記第１端面に位置して、下方から上方に向かって延びた溝部と、を有し、  前記流路は、下方から上方に向かって第２中心軸に沿って延びており、前記第２端面において開口した第１流路を有し、  前記下面に直交するとともに前記第１流路を含む断面において、前記第１端面と前記第１中心軸とがなす第１角度は、前記第２中心軸と前記第１中心軸とがなす第２角度よりも小さい、切削工具用ホルダ。
【請求項２】
前記溝部は、前記第２中心軸に沿った方向に延びている、請求項１に記載の切削工具用ホルダ。
【請求項３】
前記第２中心軸に直交する断面において、前記溝部は円孤形状である、請求項１又は２に記載の切削工具用ホルダ。
【請求項４】
前記第２中心軸に直交する断面において、前記第１流路は円形状であるとともに、  前記溝部の曲率半径は、前記第１流路の半径よりも大きい、請求項３に記載の切削工具用ホルダ。
【請求項５】
前記溝部の円孤の中心は、前記第２中心軸の仮想延長線上に位置している、請求項４に記載の切削工具用ホルダ。
【請求項６】
前記溝部は、前記ポケットから離れて位置している、請求項１〜５のいずれか１つに記載の切削工具用ホルダ。
【請求項７】
前記第１端の正面視において、前記溝部は、    上方に向かうにしたがって、前記第２中心軸に直交する方向の幅が狭くなる第１領域と、    前記第１領域よりも下方に位置して、下方に向かうにしたがって、前記第２中心軸に直交する方向の幅が狭くなる第２領域と、を有している、請求項１〜６のいずれか１つに記載の切削工具用ホルダ。
【請求項８】
前記端面は、前記第１端面と前記第２端面との間に位置する第３端面を更に有している、請求項１〜７のいずれか１つに記載の切削工具用ホルダ。
【請求項９】
前記第２端面と前記第３端面とがなす第４角度は、前記第２端面と前記第１端面とがなす第３角度よりも大きい、請求項８に記載の切削工具用ホルダ。
【請求項１０】
前記端面は、前記ポケットと前記第１端面との間に位置する第４端面を更に有している、請求項１〜９のいずれか１つに記載の切削工具用ホルダ。
【請求項１１】
前記溝部は、前記第１端面から前記第４端面にかけて位置している、請求項１０に記載の切削工具用ホルダ。
【請求項１２】
前記端面は、前記第１端面と前記第２端面との間に位置する第３端面、及び前記ポケットと前記第１端面との間に位置する第４端面を更に有しており、  前記第１端の正面視において、前記第２中心軸に平行な方向における、前記第１端面の寸法をＬ１、前記第３端面の寸法をＬ２、前記第４端面の寸法をＬ３としたとき、前記Ｌ１、前記Ｌ２及び前記Ｌ３は、Ｌ１≧Ｌ３≧Ｌ２の関係を有している、請求項１〜１１のいずれか１つに記載の切削工具用ホルダ。
【請求項１３】
請求項１〜１２のいずれか１つに記載の切削工具用ホルダと、  前記ポケットに位置する切削インサートと、を備えた、切削工具。
【請求項１４】
被削材を回転させる工程と、  回転している前記被削材に請求項１３に記載の切削工具を接触させる工程と、  前記切削工具を前記被削材から離す工程と、を備えた、切削加工物の製造方法。
【発明の詳細な説明】
【技術分野】
【０００１】  本開示は、切削工具用ホルダ、切削工具及び切削加工物の製造方法に関する。
【背景技術】
【０００２】  特表２００４−５２２５９９号公報（特許文献１）及び特許第５１９９２７４号公報（特許文献２）に記載されているように、従来からクーラント供給機構を有した切削工具が種々提案されている。
【発明の概要】
【０００３】  本開示の切削工具用ホルダは、第１端から第２端に向かって、第１中心軸に沿って延びた棒形状の本体部と、前記本体部の内部に位置してクーラントが流れる流路と、を備えている。前記本体部は、上面と、前記上面の反対側に位置する下面と、前記上面及び前記下面の間であって前記第１端の側に位置する端面と、前記第１端の側に位置する上顎部及び下顎部と、前記上顎部及び前記下顎部の間に位置するポケットと、を有している。前記端面は、前記ポケットよりも下方に位置して、前記ポケットから離れるにしたがって前記第２端に近付くように延びた第１端面と、前記第１端面よりも下方に位置して、前記第２端から離れるように延びた第２端面と、少なくとも一部が前記第１端面に位置して、下方から上方に向かって延びた溝部と、を有している。前記流路は、下方から上方に向かって第２中心軸に沿って延びており、前記第２端面において開口した第１流路を有している。前記下面に直交するとともに前記第１流路を含む断面において、前記第１端面と前記第１中心軸とがなす第１角度は、前記第２中心軸と前記第１中心軸とがなす第２角度よりも小さい。
【０００４】  本開示の切削工具は、上述した本開示に係る切削工具用ホルダと、前記ポケットに位置する切削インサートと、を備えている。
【０００５】  本開示の切削加工物の製造方法は、被削材を回転させる工程と、回転している前記被削材に上述した本開示に係る切削工具を接触させる工程と、前記切削工具を前記被削材から離す工程と、を備えている。
【図面の簡単な説明】
【０００６】
【図１】図１は、本開示の実施形態に係る切削工具用ホルダを示す斜視図である。
【図２】図２は、図１の切削工具用ホルダの流路などを透視した状態を示す斜視図である。
【図３】図３は、図２に示す切削工具用ホルダの第１端の側の拡大図である。
【図４】図４は、図１に示す切削工具用ホルダの側面図である。
【図５】図５は、図４に示す切削工具用ホルダの第１端の側の拡大図である。
【図６】図６は、図２に示す切削工具用ホルダの側面図である。
【図７】図７は、図６に示す切削工具用ホルダの第１端の側の拡大図である。
【図８】図８は、図７に示す切削工具用ホルダの下面に直交するとともに第１流路を含む断面図である。
【図９】図９は、図６のＹ矢視図である。
【図１０】図１０は、図９に示す切削工具用ホルダの第２中心軸に直交するとともに溝部を含む断面図である。
【図１１】図１１は、図９に示す切削工具用ホルダの第２中心軸に直交するとともに第１流路を含む断面図である。
【図１２】図１２は、図１の切削工具用ホルダにおける第１端に向かって見た状態を示す図である。
【図１３】図１３は、図１２に示す切削工具用ホルダの部分拡大図である。
【図１４】図１４は、図１に示す切削工具用ホルダの上面図である。
【図１５】図１５は、本開示の実施形態に係る切削工具を示す斜視図である。
【図１６】図１６は、図１５に示す切削工具の第１端の側の拡大図である。
【図１７】図１７は、図１５に示す切削工具の側面図である。
【図１８】図１８は、図１５に示す切削工具における第１端に向かって見た状態を示す図である。
【図１９】図１９は、図１５に示す切削工具の上面図である。
【図２０】図２０は、本開示の実施形態に係る切削加工物の製造方法の一工程を示す概略図である。
【図２１】図２１は、本開示の実施形態に係る切削加工物の製造方法の一工程を示す概略図である。
【図２２】図２２は、本開示の実施形態に係る切削加工物の製造方法の一工程を示す概略図である。
【発明を実施するための形態】
【０００７】  ＜切削工具用ホルダ＞  以下、本開示の様々な実施形態に係る切削工具用ホルダについて、図面を用いて詳細に説明する。但し、以下で参照する各図は、説明の便宜上、実施形態を説明する上で必要な主要部材のみを簡略化して示したものである。したがって、本開示の切削工具用ホルダは、参照する各図に示されていない任意の構成部材を備え得る。また、各図中の部材の寸法は、実際の構成部材の寸法及び寸法比率などを忠実に表したものではない。これらの点は、後述する切削工具及び切削加工物の製造方法においても同様である。
【０００８】  図１〜図１４に示すように、実施形態の一例の切削工具用ホルダ１（以下、「ホルダ１」ということがある。）は、溝入れ工具用であり、本体部２及び流路４を備えている。なお、ホルダ１は、溝入れ工具用に限定されるものではない。
【０００９】  本体部２は、図１及び図４に示すように、第１端２ａから第２端２ｂに向かって、第１中心軸Ｓ２に沿って延びた棒形状である。言い換えれば、本体部２は、柱状である。柱状としては、例えば、円柱状及び角柱状などが挙げられる。実施形態の一例の本体部２は、四角柱状である。四角柱状とは、厳密な意味での四角柱状のみならず、若干の凹凸及び湾曲などをも含む趣旨である。なお、本体部２の形状は、四角柱状に限定されるものではない。
【００１０】  一例の本体部２の第１中心軸Ｓ２は、後述するシャンク２７の中心軸である。シャンク２７の中心軸は、本体部２の長手方向ａに平行な方向におけるシャンク２７の両端を貫く軸である。
【００１１】  本体部２は、図１に示すように、上面２１と、上面２１の反対側に位置する下面２２と、上面２１及び下面２２の間であって第１端２ａの側に位置する端面２３と、第１端２ａの側に位置する上顎部２６１及び下顎部２６２と、上顎部２６１及び下顎部２６２の間に位置するポケット３と、を有している。
【００１２】  一例の本体部２は、第１端２ａの側に位置しているヘッド２６及び第２端２ｂの側に位置しているシャンク２７を有していてもよい。ヘッド２６は、後述する切削インサート１１０（以下、「インサート１１０」ということがある。）を固定する部位であり、上顎部２６１及び下顎部２６２が位置している部位である。したがって、ヘッド２６が、上顎部２６１及び下顎部２６２を有していると言い換えることもできる。シャンク２７は、工作機械（不図示）によって把持される部位である。
【００１３】  本体部２は、ネジ孔２８を更に有していてもよい。一例のネジ孔２８は、後述するネジ１２０が挿入される部位であり、上顎部２６１から下顎部２６２にかけて位置している。後述する図１６に示すように、上顎部２６１と下顎部２６２との間にインサート１１０を挟んだ状態でネジ１２０を締め付け、上顎部２６１を弾性変形させて押し下げたときに得られるクランプ力によってインサート１１０を固定していてもよい。なお、インサート１１０の固定は、クランプ力を利用するクランプ機構に限定されるものではない。
【００１４】  ポケット３には、インサート１１０が位置してもよい。なお、上述した上顎部２６１は、ポケット３の上方に位置しており、下顎部２６２は、ポケット３の下方に位置している。上方及び下方は、例えば、本体部２の上面２１、下面２２又は第１中心軸Ｓ２などを基準にして評価することができる。すなわち、これらの基準に直交する方向において、上面２１の側を上方とし、下面２２の側を下方として評価することができる。
【００１５】  本体部２の材質としては、例えば、鋼、鋳鉄及びアルミニウム合金などが挙げられる。本体部２の大きさは、次のような値に設定できる。図１４に示す本体部２の長手方向ａに平行な方向における本体部２の寸法は、例えば、９０〜１８０ｍｍである。長手方向ａに直交する方向におけるホルダ２の寸法は、例えば、１０〜４０ｍｍである。
【００１６】  流路４は、図２に示すように、本体部２の内部に位置しており、クーラント（冷却流体）が流れる部位として機能してもよい。クーラントとしては、例えば、不水溶性油剤及び水溶性油剤などが挙げられる。不水溶性油剤としては、例えば、油性形、不活性極圧形及び活性極圧形などの切削油が挙げられる。水溶性油剤としては、例えば、エマルジョン、ソリューブル及びソリューションなどの切削油が挙げられる。なお、クーラントは、液体に限定されるものではなく、不活性ガスなどの気体であってもよい。
【００１７】  実施形態の一例の流路４は、流入口４ａ及び流出口４ｂを有している。
【００１８】  流入口４ａは、外部から供給されるクーラントを流路４内に流入させる部位である。流入口４ａの数は、少なくとも１つであればよく、複数であってもよい。実施形態の一例の流入口４ａは、本体部２の第２端２ｂの側に位置する端面２４に開口している第１流入口４ａ１及び下面２２に開口している第２流入口４ａ２の２つである。実施形態の一例のように流入口４ａの数が複数のときは、加工環境に応じて使用する流入口４ａを選択することができる。このとき、使用しない流入口４ａは、クーラントが漏れないように、例えば、取り外し可能なシール部材などによって塞げばよい。なお、流入口４ａの数及び開口する位置は、上述した実施形態に限定されるものではない。
【００１９】  流出口４ｂは、インサート１１０に向かってクーラントを流出させる部位である。実施形態の一例の流出口４ｂは、図３に示すように、後述する第２端面２３２に開口している。なお、流出口４ｂは、第２端面２３２に加えて、他の部位に開口していてもよい。すなわち、流出口４ｂの数は、少なくとも１つであればよく、複数であってもよい。流出口４ｂの数が複数のときは、インサート１１０の形状などに応じて流出口４ｂが開口する位置を設定することができる。
【００２０】  流路４は、図２及び図６に示すように、第１流路４１を有している。第１流路４１は、図７及び図８に示すように、下方から上方に向かって第２中心軸Ｓ４１に沿って延びており、後述する第２端面２３２において開口している。実施形態の一例の第１流路４１は、流出口４ｂを有するとともに、ポケット３よりも下方に位置しており、ポケット３から離れるにしたがって第２端２ｂに向かって傾斜している。
【００２１】  第２中心軸Ｓ４１は、例えば、第１流路４１の流出口４ｂの側の内径の中心を連続することで得られる。第１流路４１の流出口４ｂの側は、直線状に延びている。実施形態の一例では、第１流路４１の全体が、直線状に延びている。
【００２２】  ここで、ホルダ１は、次のような構成を有している。上述した端面２３は、図３及び図７に示すように、ポケット３から下方に向かって順に位置する第１端面２３１及び第２端面２３２を有している。また、端面２３は、溝部５を更に有している。
【００２３】  第１端面２３１は、ポケット３よりも下方に位置している。また、第１端面２３１は、ポケット３から離れるにしたがって第２端２ｂに近付くように延びている。言い換えれば、第１端面２３１は、ポケット３から離れるにしたがって第２端２ｂに向かって傾斜している。
【００２４】  第２端面２３２は、第１端面２３１よりも下方に位置している。また、第２端面２３２は、第２端２ｂから離れるように延びている。言い換えれば、第２端面２３２は、第１端面２３１から離れるにしたがって第１端２ａに向かって延びている。実施形態の一例の第２端面２３２には、上述した第１流路４１が開口しており、流出口４ｂが位置している。
【００２５】  溝部５は、少なくとも一部が第１端面２３１に位置して、下方から上方に向かって延びている。溝部５は、ポケット３に位置することになるインサート１１０に向かう方向へクーラントの進路をガイドする部位として機能してもよい。
【００２６】  図８に示すように、下面２２に直交するとともに第１流路４１を含む断面において、第１端面２３１と第１中心軸Ｓ２とがなす第１角度θ１は、第２中心軸Ｓ４１と第１中心軸Ｓ２とがなす第２角度θ２よりも小さい。
【００２７】  上述した構成によれば、次のような効果が得られる。第１角度θ１が第２角度θ２よりも小さいことから、第１端面２３１の近傍における本体部２の肉厚を大きく確保することができる。その結果、ホルダ１の耐久性の向上が図れる。また、第１端面２３１に溝部５の少なくとも一部が位置することから、クーラントの進路をインサート１１０に向かう方向へガイドすることができる。その結果、クーラントが目標位置まで正確に到達し易くなり、冷却効果の向上が図れる。
【００２８】  第１角度θ１は、例えば、５５〜７０°である。第２角度θ２は、例えば、７５〜７８°である。
【００２９】  第１角度θ１及び第２角度θ２は、第１中心軸Ｓ２に平行な線Ｘ２を基準に評価してもよい。また、第１角度θ１及び第２角度θ２は、例えば、下面２２に平行な線Ｘ３を基準に評価してもよい。具体的に説明すると、実施形態の一例の下面２２は、平坦状である。このような構成のときは、上述した線Ｘ２又は線Ｘ３を基準にして第１角度θ１及び第２角度θ２を評価してもよい。
【００３０】  実施形態の一例の第２端面２３２は、図７に示すように、側面視において下面２２と平行である。側面視とは、ホルダ１を本体部２の側面２５に向かって見た状態のことである。また、平行とは、両者が実質的に平行であればよく、例えば、±２°の誤差を含んでいてもよい。
【００３１】  溝部５は、図８に示すように、第２中心軸Ｓ４１に沿った方向に延びていてもよい。言い換えれば、溝部５は、ポケット３から離れるにしたがって第２端２ｂに向かって傾斜していてもよい。このとき、溝部５と第１中心軸Ｓ２とがなす第５角度θ５は、第２角度θ２と同じであってもよい。これらの構成を満たすときは、溝部５によるクーラントをガイドする機能の向上が図れる。
【００３２】  なお、第５角度θ５は、第２角度θ２と実質的に同じであればよく、両者の角度に若干の差があってもよい。具体例を挙げると、例えば、両者の角度の値に、±３°の差があってもよい。また、第５角度θ５は、上述した第１角度θ１及び第２角度θ２と同様にして評価してもよい。例えば、実施形態の一例のように、上述した線Ｘ２又は線Ｘ３を基準にして第５角度θ５を評価してもよい。
【００３３】  図１０に示すように、第２中心軸Ｓ４１に直交する断面において、溝部５は円孤形状であってもよい。このような構成を満たすときは、溝部５の面積が小さいので、ホルダ１の剛性を維持することができる。その結果、切削加工時にホルダ１のびびり振動が発生しにくい。なお、上述した断面における溝部５の形状は、円孤形状に限定されるものではなく、他の形状であってもよい。他の形状としては、例えば、曲線形状、三角形状及び四角形状などが挙げられる。
【００３４】  図１１に示すように、第２中心軸Ｓ４１に直交する断面において、第１流路４１は円形状であってもよい。このとき、図１０及び図１１に示すように、溝部５の曲率半径Ｒ１は、第１流路４１の半径Ｒ２よりも大きくてもよい。インサート１がこれらの構成を満たすときは、クーラントが拡散しにくく、溝部５によるクーラントをガイドする機能の向上が図れる。曲率半径Ｒ１は、例えば、０．６〜１．６ｍｍである。半径Ｒ２は、例えば、０．５〜１．５ｍｍである。
【００３５】  図９に示すように、第１流路４１が延びる方向に沿って第１流路４１を見たとき、流出口４ｂは円形状であってもよい。このとき、溝部５の曲率半径Ｒ１は、流出口４ｂの半径Ｒ２よりも大きくてもよい。インサート１がこれらの構成を満たすときは、クーラントが拡散しにくく、溝部５によるクーラントをガイドする機能の向上が図れる。
【００３６】  図７、図９及び図１０に示すように、溝部５の円孤の中心Ｓ５は、第２中心軸Ｓ４１の仮想延長線Ｘ１上に位置していてもよい。インサート１がこのような構成を満たすときは、クーラントが拡散しにくく、溝部５によるクーラントをガイドする機能の向上が図れる。なお、図９に示すように、第１流路４１が延びる方向に沿って見たとき、溝部５の円孤の中心Ｓ５は、流出口４ｂの中心Ｓ４ｂと同じ位置にあってもよい。
【００３７】  図１３に示すように、溝部５は、ポケット３から離れて位置していてもよい。より具体的には、溝部５の上端５１は、ポケット３から離れて位置していてもよい。溝部５がこのような構成を満たすときは、ポケット３の近傍における本体部２の肉厚が確保され易いので、ホルダ１の耐久性の向上が図れる。また、ホルダ１の剛性が高まることから、切削加工時にホルダ１のびびり振動が発生しにくい。
【００３８】  図１３に示すように、第１端２ａの正面視において、溝部５は、上方に向かうにしたがって、第２中心軸Ｓ４１に直交する方向の幅Ｗ１が狭くなる第１領域５４と、第１領域５４よりも下方に位置して、下方に向かうにしたがって、第２中心軸Ｓ４１に直交する方向の幅Ｗ２が狭くなる第２領域５５と、を有していてもよい。溝部５がこのような構成を満たすときは、溝部５によるクーラントをガイドする機能の向上が図れる。
【００３９】  第１領域５４は、溝部５の上端５１を含んでいてもよい。第２領域５５は、溝部５の下端５２を含んでいてもよい。第１領域５４及び第２領域５５の境界は、第２中心軸Ｓ４１に平行な方向における溝部５の中央５３に位置していてもよい。第２中心軸Ｓ４１に直交する方向における中央５３の幅Ｗ３は、幅Ｗ１及び幅Ｗ２と同じ、或いは、幅Ｗ１及び幅Ｗ２よりも大きくてもよい。例えば、上記の幅Ｗ３は、第２中心軸Ｓ４１に直交する方向における溝５の幅の最大値であってもよい。なお、幅Ｗ１、Ｗ２、Ｗ３は、溝部５の延びる方向ｂに直交する方向ｃを基準に評価してもよい。幅Ｗ１は、例えば、０．１〜２ｍｍである。幅Ｗ２は、例えば、０．１〜２ｍｍである。幅Ｗ３は、例えば、１．２〜３．２ｍｍである。
【００４０】  図１３に示すように、第１端２ａの正面視において、溝部５の少なくとも一部が、第２中心軸Ｓ４１の仮想延長線Ｘ１上に位置していてもよい。また、第１端２ａの正面視において、溝部５の上端５１が、仮想延長線Ｘ１上に位置していてもよい。溝部５がこのような構成を満たすときは、溝部５によるクーラントをガイドする機能の向上が図れる。
【００４１】  端面２３は、図３に示すように、第１端面２３１と第２端面２３２との間に位置する第３端面２３３を更に有していてもよい。端面２３がこのような構成を満たすときは、切削加工時における第１端面２３１と第２端面２３２との間での応力集中が少なくなるので、ホルダ１の剛性が高まる。実施形態の一例の第３端面２３３は、図７に示すように、側面視において下面２２に直交する線Ｘ４と平行である。
【００４２】  図５に示すように、第２端面２３２と第３端面２３３とがなす第４角度θ４は、第２端面２３２と第１端面２３１とがなす第３角度θ３よりも大きくてもよい。端面２３がこのような構成を満たすときは、第３端面２３３の近傍における本体部２の肉厚が確保され易いので、ホルダ１の剛性が高い。第４角度θ４は、例えば、８５〜１０５°である。実施形態の一例の第４角度θ４は、９０°である。第３角度θ３は、例えば、５５〜７５°である。
【００４３】  端面２３は、図３に示すように、ポケット３と第１端面２３１との間に位置する第４端面２３４を更に有していてもよい。端面２３がこのような構成を満たすときは、切削加工時におけるポケット３と第１端面２３１との間での応力集中が少なくなるので、ホルダ１の剛性が高い。実施形態の一例の第４端面２３４は、図７に示すように、側面視において下面２２に直交する線Ｘ４と平行である。言い換えれば、一例の第４端面２３４は、側面視において第３端面２３３と平行である。
【００４４】  溝部５は、図３に示すように、第１端面２３１から第４端面２３４にかけて位置していてもよい。溝部５がこのような構成を満たすときは、溝部５によるクーラントをガイドする機能の向上が図れる。
【００４５】  図１３に示すように、第１端２ａの正面視において、第２中心軸Ｓ４１に平行な方向における、第１端面２３１の寸法をＬ１、第３端面２３３の寸法をＬ２、第４端面２３４の寸法をＬ３としたとき、Ｌ１、Ｌ２及びＬ３は、Ｌ１≧Ｌ３≧Ｌ２の関係を有していてもよい。また、Ｌ１及びＬ２は、Ｌ１＞Ｌ２の関係を有していてもよい。端面２３がこのような構成を満たすときは、端面２３において第１端面２３１の占める割合が大きくなることから、ホルダ１の剛性が高まり、びびり振動を抑えることができる。また、溝部５によるクーラントをガイドする機能の向上が図れる。Ｌ１は、例えば、３〜５ｍｍである。Ｌ２は、例えば、１〜３ｍｍである。Ｌ３は、例えば、２〜４ｍｍである。
【００４６】  実施形態の一例の流路４は、図２に示すように、第２流路４２及び第３流路４３を更に有している。第２流路４２は、第１流路４１と接続しており、第１流路４１から離れるにしたがって上方に向かって傾斜している。第３流路４３は、第２流路４２と接続しており、流入口４ａを有している。なお、流路４の構成は、上述した実施形態に限定されるものではない。例えば、実施形態の一例では、第３流路４３が分岐点のある複数の流路で構成されているが、第３流路４３を分岐点のない１つの流路で構成してもよい。また、第１流路４１〜第３流路４３における各流路間に他の流路が位置していてもよい。
【００４７】  流路４の形状は、クーラントを流すことが可能な限り特に限定されない。一例の流路４の形状は、クーラントの流れる方向に直交する断面において、円形状である。第１流路４１の径は、例えば、１〜３ｍｍである。第２流路４２の径は、例えば、１〜４ｍｍである。第３流路４３の径は、例えば、３〜１０ｍｍである。
【００４８】  流路４は、例えば、ドリルなどを用いる孔加工によって形成することができる。孔加工によって形成された孔部のうち流路４として機能しない部分は、クーラントが漏れないようにシール部材によって塞げばよい。シール部材としては、例えば、半田、樹脂及びネジ部材などが挙げられる。
【００４９】  ＜切削工具＞  次に、本開示の様々な実施形態に係る切削工具について、図１５〜図１９を参照して詳細に説明する。
【００５０】  図１５〜図１９に示すように、実施形態の一例の切削工具１００は、ホルダ１及びポケット３に位置するインサート１１０を備えている。一例の切削工具１００は、高い耐久性と良好な冷却効果とを発揮するホルダ１を備えていることから、長期に渡って優れた切削性能を発揮することができる。
【００５１】  図１６に示すように、実施形態の一例のインサート１１０は、角柱状である。また、インサート１１０は、その長手方向ｄの両端の側に位置している一対の切刃部１１０ａと、一対の切刃部１１０ａの間に位置しているクランプ部１１０ｂとを有している。クランプ部１１０ｂが、ホルダ１の上顎部２６１及び下顎部２６２によってクランプされる。
【００５２】  切刃部１１０ａは、上面１１１、下面１１２、側面１１３及び切刃１１４を有している。上面１１１の少なくとも一部は、切削加工を行うときに切屑が流れるすくい面として機能することが可能である。下面１１２の少なくとも一部は、ポケット３に対する載置面として機能することが可能である。側面１１３は、上面１１１及び下面１１２のそれぞれに接続されている。側面１１３の少なくとも一部は、切削加工を行うときに逃げ面として機能することが可能である。
【００５３】  切刃１１４は、上面１１１と側面１１３とが交わる稜部１１５の少なくとも一部に位置している。実施形態の一例の切刃１１４は、稜部１１５の全体に位置している。インサート１１０は、図１７及び図１９に示すように、切刃１１４が本体部２の第１端２ａの側において突出する状態で、ポケット３に位置している。
【００５４】  インサート１１０の材質としては、例えば、超硬合金及びサーメットなどが挙げられる。超硬合金としては、例えば、ＷＣ−Ｃｏ、ＷＣ−ＴｉＣ−Ｃｏ及びＷＣ−ＴｉＣ−ＴａＣ−Ｃｏなどが挙げられる。ＷＣ−Ｃｏは、炭化タングステン（ＷＣ）にコバルト（Ｃｏ）の粉末を加えて焼結して生成される。ＷＣ−ＴｉＣ−Ｃｏは、ＷＣ−Ｃｏに炭化チタン（ＴｉＣ）を添加したものである。ＷＣ−ＴｉＣ−ＴａＣ−Ｃｏは、ＷＣ−ＴｉＣ−Ｃｏに炭化タンタル（ＴａＣ）を添加したものである。サーメットは、セラミック成分に金属を複合させた焼結複合材料である。サーメットとしては、例えば、炭化チタン（ＴｉＣ）及び窒化チタン（ＴｉＮ）などのチタン化合物を主成分としたものが挙げられる。
【００５５】  インサート１１０の表面は、被膜でコーティングされていてもよい。被膜の組成としては、例えば、炭化チタン（ＴｉＣ）、窒化チタン（ＴｉＮ）、炭窒化チタン（ＴｉＣＮ）及びアルミナ（Ａｌ2Ｏ3）などが挙げられる。被膜の成膜方法としては、例えば、化学蒸着（ＣＶＤ）法及び物理蒸着（ＰＶＤ）法などが挙げられる。
【００５６】  インサート１１０の大きさは、次のような値に設定できる。インサート１１０の長手方向ｄに平行な方向におけるインサート１１０の寸法は、例えば、１５〜３０ｍｍである。長手方向ｄに直交する方向におけるインサート１１０の寸法は、例えば、２〜１０ｍｍである。上面１１１から下面１１２までのインサート１１０の寸法は、例えば、３〜５ｍｍである。
【００５７】  切削工具１００は、ネジ１２０を更に備えていてもよい。このような構成を満たすときは、ネジ１２０の締め付けによってクランプ力を調整することができる。
【００５８】  ＜切削加工物の製造方法＞  次に、本開示の様々な実施形態に係る切削加工物の製造方法について、図２０〜図２２を参照して詳細に説明する。
【００５９】  実施形態の一例に係る切削加工物の製造方法は、以下の（１）〜（３）の工程を備えている。  （１）図２０に示すように、被削材２００を回転させる工程。  （２）図２１に示すように、回転している被削材２００に切削工具１００を接触させる工程。  （３）図２２に示すように、切削工具１００を被削材２００から離す工程。
【００６０】  具体的に説明すると、まず、図２０に示すように、被削材２００をその回転軸Ｏを基準に回転させる。被削材２００の材質としては、例えば、炭素鋼、合金鋼、ステンレス、鋳鉄及び非鉄金属などが挙げられる。
【００６１】  次に、切削工具１００を矢印Ｚ１方向に移動させることによって、回転している被削材２００に切削工具１００を相対的に近付ける。
【００６２】  次に、図２１に示すように、切削工具１００の切刃１１４を回転している被削材２００に接触させて、被削材２００を切削する。このとき、流出口４ｂからクーラントを流出させつつ被削材２００を切削してもよい。
【００６３】  最後に、図２２に示すように、切削工具１００を矢印Ｚ２方向に移動させることによって、切削工具１００を被削材２００から相対的に遠ざけて切削加工物２１０を得る。
【００６４】  一例に係る切削加工物の製造方法によれば、高い耐久性と良好な冷却効果とを発揮するホルダ１を備える切削工具１００を使用することから、長期に渡って優れた切削性能を発揮して切削加工を行うことができる。その結果、精度が高い加工表面を有する切削加工物２１０を得ることができる。
【００６５】  なお、実施形態の一例では、切削工具１００を動かすことによって切削加工物２１０を得ているが、これに限定されるものではない。例えば、（１）の工程では、被削材２００を切削工具１００に近付けてもよい。同様に、（３）の工程では、被削材２００を切削工具１００から遠ざけてもよい。切削加工を継続する場合には、被削材２００を回転させた状態を維持して、被削材２００の異なる箇所に切刃１１４を接触させる工程を繰り返せばよい。
【００６６】  以上、本開示に係る実施形態の切削工具用ホルダ１、切削工具１００及び切削加工物２１０の製造方法について例示したが、本開示は上述した実施形態に限定されるものではなく、本開示の要旨を逸脱しない限り任意のものとすることができることはいうまでもない。
【００６７】  例えば、ホルダ１の本体部２のうち、端面２３を含む部位を、本体部２の他の部位と別部材で構成してもよい。そして、端面２３を含む部位を、本体部２の他の部位に対して取り付け可能に構成してもよい。
【００６８】  また、例えば、上述の実施形態では、ポケット３、上顎部２６１及び下顎部２６２のそれぞれが、本体部２の長手方向ａに沿って延びているが、これに代えて、ポケット３、上顎部２６１及び下顎部２６２のそれぞれが、長手方向ａに対して直交する方向に延びる実施形態にしてもよい。
【００６９】  また、本開示の全体において、単数形「ａ」、「ａｎ」及び「ｔｈｅ」は、文脈から明らかにそうでないことが示されていなければ、複数のものを含むものとする。
【符号の説明】
【００７０】  １・・・切削工具用ホルダ    ２・・・本体部      Ｓ２・・・第１中心軸      ２ａ・・・第１端      ２ｂ・・・第２端      ２１・・・上面      ２２・・・下面      ２３・・・端面        ２３１・・・第１端面        ２３２・・・第２端面        ２３３・・・第３端面        ２３４・・・第４端面        ５・・・溝部          Ｓ５・・・中心          ５１・・・上端          ５２・・・下端          ５３・・・中央          ５４・・・第１領域          ５５・・・第２領域      ２４・・・端面      ２５・・・側面      ２６・・・ヘッド        ２６１・・・上顎部        ２６２・・・下顎部      ２７・・・シャンク      ２８・・・ネジ孔      ３・・・ポケット    ４・・・流路      ４ａ・・・流入口        ４ａ１・・・第１流入口        ４ａ２・・・第２流入口      ４ｂ・・・流出口        Ｓ４ｂ・・・中心      ４１・・・第１流路        Ｓ４１・・・第２中心軸          Ｘ１・・・仮想延長線      ４２・・・第２流路      ４３・・・第３流路  １００・・・切削工具    １１０・・・切削インサート      １１０ａ・・・切刃部        １１１・・・上面        １１２・・・下面        １１３・・・側面        １１４・・・切刃        １１５・・・稜部      １１０ｂ・・・クランプ部    １２０・・・ネジ  ２００・・・被削材  ２１０・・・切削加工物
【図１】
2018159525.tif 000003
【図２】
2018159525.tif 000004
【図３】
2018159525.tif 000005
【図４】
2018159525.tif 000006
【図５】
2018159525.tif 000007
【図６】
2018159525.tif 000008
【図７】
2018159525.tif 000009
【図８】
2018159525.tif 000010
【図９】
2018159525.tif 000011
【図１０】
2018159525.tif 000012
【図１１】
2018159525.tif 000013
【図１２】
2018159525.tif 000014
【図１３】
2018159525.tif 000015
【図１４】
2018159525.tif 000016
【図１５】
2018159525.tif 000017
【図１６】
2018159525.tif 000018
【図１７】
2018159525.tif 000019
【図１８】
2018159525.tif 000020
【図１９】
2018159525.tif 000021
【図２０】
2018159525.tif 000022
【図２１】
2018159525.tif 000023
【図２２】
2018159525.tif 000024
【国際調査報告】
2018159525.tif 000025
2018159525.tif 000026
2018159525.tif 000027
2018159525.tif 000028